(57)【要約】【課題】ブラウン管の後方に広いスペースを必要とせず、又、コストアップすることなく、消磁コイルと補正コイルの２種類の磁界発生コイルを用いるのと同等な性能を有するディスプレイ装置を提供する【解決手段】１つの磁界発生コイル（１６）と、消磁を行う消磁制御回路（１３）と、地磁気による影響を補正する補正磁界制御回路（１４）と、磁界発生コイルの接続を消磁制御回路又は補正磁界制御回路に切替える切替え部（１５）と、予め定められた期間の間は、磁界発生コイルを消磁制御回路に接続させ、予め定められた期間以後は、切替え部を磁界発生コイルに対して補正磁界制御回路に接続させる制御部（１９）と、を備えることにより、１つの磁界発生コイルで消磁と補正の両方が可能となり、広いスペースを必要とすることなく、又、コストアップすることなくディスプレイ装置を提供できる。【選択図】図１
2006332742.tif 000002
【特許請求の範囲】
【請求項１】
入力映像信号に応じた電子ビームを走査して前記映像信号を表示する表示部を有するディスプレイ装置において、
前記表示部は、
前記映像信号を表示するブラウン管と、
前記ブラウン管の表示側と反対側の後方に配置された１つの磁界発生コイルと、
予め定められた期間の間、前記磁界発生コイルに消磁電流を供給し、消磁磁界を発生させて、前記ブラウン管の消磁を行う消磁制御回路と、
前記磁界発生コイルに補正電流を供給し、前記電子ビームの偏向方向が地磁気による影響によりずれることを補正する補正磁界制御回路と、
前記消磁制御回路と前記補正磁界制御回路とを替える切替え部と、
前記予め定められた期間の間は、前記切替え部を前記磁界発生コイルに対して前記消磁制御回路に接続させ、前記予め定められた期間経過後は、前記切替え部を前記磁界発生コイルに対して前記補正磁界制御回路に接続させる制御部と、
を備えたことを特徴とするディスプレイ装置。
【発明の詳細な説明】
【技術分野】
【０００１】
本発明は、映像信号を表示するディスプレイ装置に係り、特に、表示に使用するブラウン管の消磁手段と磁界補正手段に関する。
【背景技術】
【０００２】
従来から、ブラウン管を用いた映像信号のディスプレイ装置においては、通常、ブラウン管の表示側と反対側の後方に、主にシャドウマスクの帯磁を除去するための消磁用の磁界発生コイル（以下、消磁コイル）と、電子ビームが地磁気の影響を受けるのを補正するための補正磁界発生用コイル（以下、補正コイル）の２種類の磁界発生コイルが設けられている（例えば、下記特許文献１参照）。
【０００３】
図３は、従来のディスプレイ装置において、上記消磁コイルと補正コイルの接続構成を示したブロック図であり、図４はその動作タイミングを図示したもので、（Ａ）は消磁コイル２４の動作、（Ｂ）は補正コイル２７の動作を表したものである。
【０００４】
図３において、消磁コイル２４と補正コイル２７はブラウン管２８の後方に、夫々別個にネックを中心にリング状に巻かれた状態で背面に密着して取り付けられている。
消磁コイル２４は、消磁制御回路２３の制御により消磁動作が行われるが、通常、この消磁動作はディスプレイ装置の電源オンと同時に自動的に行われるようになっている。
【０００５】
すなわち、ＡＣプラグ２１がＡＣ電源ライン（図示せず）に接続され、電源スイッチ２２がオンされると、消磁制御回路２３は十分大きな交流電圧を消磁コイル２４に通電し、その後、時間と共に徐々に電流を減衰させるようにする。これにより、消磁コイル２４は最初大きな交流磁界を発生し、徐々に磁界を収束させることでシャドウマスクの帯磁を取り除くことができる。図４（Ａ）はその制御状態を示している。
【０００６】
一方、補正コイル２７は、補正磁界制御回路２６の制御により、適宜設置場所に応じて使用者が調整可能な直流電圧が加えられ、電子ビームの地磁気の影響をキャンセルするような補正磁界を発生する。この補正磁界は、ディスプレイ装置が映像信号を表示中は常時発生させておくことで、常に地磁気の影響を除去した状態で表示ができる。図４（Ｂ）はその制御状態を分りやすく示している。
また、補正磁界制御回路２６は、トランス＆電源回路２５で作成される直流電圧で動作する構成となっている。
【特許文献１】特開平５−２０７４９１号公報
【発明の開示】
【発明が解決しようとする課題】
【０００７】
しかしながら、特許文献１のように、消磁コイルと補正コイルの２種類の磁界発生コイルを用いるには、大型のブラウン管では後方にスペースがあるので取り付け可能であるが小型のディスプレイ装置では両方を設置するのは困難な場合が多い。又、小型であるためのコスト低減もあって、やむを得ず補正コイルを設置しないディスプレイ装置があり、使用者が要求する表示の高性能化に応えることができなかった。
【０００８】
本発明は、このような従来の問題点に鑑みなされたものであり、小型のブラウン管を使用するディスプレイ装置においても、ブラウン管の後方に広いスペースを必要とせず、又、コストアップすることなく、消磁コイルと補正コイルの２種類の磁界発生コイルを用いるのと同等な性能を有するディスプレイ装置を提供するものである。
【課題を解決するための手段】
【０００９】
本発明は、上記課題を解決する手段として以下に記載の構成からなる。すなわち、
入力映像信号に応じた電子ビームを走査して前記映像信号を表示する表示部を有するディスプレイ装置において、
前記表示部は、
前記映像信号を表示するブラウン管と、
前記ブラウン管の表示側と反対側の後方に配置された１つの磁界発生コイルと、
予め定められた期間の間、前記磁界発生コイルに消磁電流を供給し、消磁磁界を発生させて、前記ブラウン管の消磁を行う消磁制御回路と、
前記磁界発生コイルに補正電流を供給し、前記電子ビームの偏向方向が地磁気による影響によりずれることを補正する補正磁界制御回路と、
前記磁界発生コイルに対して、前記消磁制御回路或いは前記補正磁界制御回路に切替える切替え部と、
前記予め定められた期間の間は、前記切替え部を前記磁界発生コイルに対して前記消磁制御回路に接続させ、前記予め定められた期間以後は、前記切替え部を前記磁界発生コイルに対して前記補正磁界制御回路に接続させる制御部と、
を備えたことを特徴とするディスプレイ装置である。
【発明の効果】
【００１０】
本発明によれば、１つの磁界発生コイルと、消磁を行う消磁制御回路と、地磁気による影響を補正する補正磁界制御回路と、磁界発生コイルの接続を消磁制御回路又は補正磁界制御回路に切替える切替え部と、予め定められた期間の間は、磁界発生コイルを消磁制御回路に接続させ、予め定められた期間以後は、切替え部を磁界発生コイルに対して補正磁界制御回路に接続させる制御部と、を備えた格別な構成があるので、１つの磁界発生コイルで消磁と補正の両方が可能となる。
このように本発明では、消磁と補正の両方が１つの磁界発生コイルで済むので、小型のブラウン管を使用する場合にもブラウン管の後方に広いスペースを必要とせず、又、コストアップになることもなく良質な表示画面を得ることができる効果がある。
【発明を実施するための最良の形態】
【００１１】
以下、本発明の各実施形態に係るディスプレイ装置について、図面を参照して説明する。
図１は、本発明に係るディスプレイ装置の磁界発生コイルの接続構成を示すブロック図、図２は、図１における磁界発生コイルの動作タイミングを表したもので、（Ａ）は消磁動作、（Ｂ）は補正動作を示したものである。
【００１２】
図１において、ブラウン管２０の後方には、磁界発生コイル１６がネックを中心にリング状に巻かれた状態で背面に密着して設置されている。磁界発生コイル１６は、切替え部１５の切替えコモン端子に接続され、マイコン制御回路１９の制御信号により切替え接点ａ若しくはｂに接続される。このとき、ディスプレイ装置の電源オフ時には、コモン端子は接点ａ側に接続されるように設定しておく。なお、切替え部１５は、電磁的に接点を切替える構造のリレー（継電器）が相応しいが、半導体素子を用いて電子的に切替える他の方法であってもかまわない。
切替え部１５の接点ａには消磁制御回路１３からの消磁用の交流電圧が、又、接点ｂには補正磁界制御回路１４からの補正磁界用の直流電圧が夫々接続されている。
【００１３】
消磁制御回路１３は消磁用の交流電圧を供給する部分で、ＡＣプラグ１１がＡＣ電源ライン（図示せず）に接続され、電源スイッチ１２がオンされると、まず十分大きな交流電圧を切替え部１５の接点ａを介して磁界発生コイル１６に供給する。その後、時間と共に徐々に電流を減衰させ、所定時間後には遮断状態にする。なお、消磁制御回路１３の上記時間経過に伴う電流の減衰動作は、例えば、よく知られている磁界発生用コイル１６に対して直列にポジスター（正特性サーミスタ）を挿入する方法で得ることができる。
これにより、磁界発生コイル１６は最初大きな交流磁界を発生し、徐々に磁界を収束させることでシャドウマスクの帯磁を取り除く動作をすることができる。
【００１４】
次いで、上記電源スイッチ１２がオンしてから前記所定時間経過後、マイコン制御回路１９は切替え部１５のコモン端子を接点ｂ側に切替える。
接点ｂには、接続されている補正磁界制御回路１４から予め調整された補正磁界用の直流電圧が供給されており、磁界発生用コイル１６は、ブラウン管２０の電子ビームが地磁気の影響をキャンセルするような補正磁界を継続して発生する。
【００１５】
ディスプレイ装置の設置場所を変えた場合等で、上記磁界発生用コイル１６が発生する補正磁界が適切でないときには、使用者が表示画面を見て色純度が良好になるように補正量を調整することができる。この点の構成について説明する。
【００１６】
補正磁界の補正量調整は、ディスプレイ装置のリモコン（図示せず）を用いて入力し、マイコン制御回路１９で補正信号を生成する。生成された補正信号はフォトカプラ１８を介して補正磁界制御回路１４に入力する。補正磁界制御回路１４では、入力された補正信号に応じた直流電圧を作成して磁界発生コイル１６に供給する。尚、この調整はリモコンで行う以外に、本体側に備えた調整ボタンあるいは調整ボリュウムでも可能である。
この構成で補正量の調整が行える。
【００１７】
上記フォトカプラ１８は、補正磁界制御回路１４とマイコン制御回路１９とをフローティングするために使うものである。
すなわち、本実施例では、補正磁界制御回路１４の動作用直流電源は、ＡＣ電源からスイッチング電源で作成して得るようにしている。これは、前記したように、磁界発生コイル１６を消磁制御回路１３とで切替え使用するので、巻線のコモン側を共通にできるようにするためである。したがって、ＡＣ電源側で動作させている補正磁界制御回路１４と、トランス＆電源部１７で作成した動作用直流電源を使用するマイコン制御回路１９とはアースを共通にできないために、補正信号の授受にはフォトカプラ１８を介してフローティングする必要がある。
【００１８】
次に、図２を用いて消磁制御回路１３と補正磁界制御回路１４の動作タイミングについて説明する。同図は左側から始まり、横軸は時間経過である。
同図（Ａ）は、消磁制御回路１３の消磁動作期間を図示したもので、電源オンで消磁動作が開始し、暫くすると徐々に電流が減少して所定時間後には遮断状態になって消磁が終了する。一例として、この消磁動作期間は５ないし１０秒程度である。
【００１９】
消磁が終了すると、次いで、同図（Ｂ）に示すように補正磁界制御回路１４の補正動作が開始する。この補正磁界制御回路１４の動作期間は、ディスプレイ装置が使用中は継続する。仮に、ディスプレイ装置を使用中に手動で消磁を開始したときには、同図（Ａ）及び（Ｂ）のａ点に示したように、補正動作を中断して、消磁動作が開始される。以降は同様の経過で補正動作に移る。この切替えはマイコン制御回路１９が制御する。
【００２０】
以上詳述したように、本発明に係るディスプレイ装置は、１つの磁界発生コイル１６と、消磁を行う消磁制御回路１３と、地磁気による影響を補正する補正磁界制御回路１４と、磁界発生コイル１６の接続を切替える切替え部１５と、予め定められた期間の間は、磁界発生コイルを消磁制御回路１３に接続させ、予め定められた期間以後は、補正磁界制御回路１４に接続させる制御部１９とを備えた構成により、１つの磁界発生コイルで消磁と補正の両方が可能となるものである。
このように、消磁と補正の両方が１つの磁界発生コイルで済むので、小型のブラウン管を使用する場合にも、ブラウン管の後方に広いスペースを必要とせず、又、コストアップになることもなく良質な表示画面を得ることが可能なディスプレイ装置とすることができる。
【図面の簡単な説明】
【００２１】
【図１】本発明に係るディスプレイ装置の磁界発生コイルの接続構成を示すブロック図である。
【図２】図１における磁界発生コイルの動作タイミングを表したもので、（Ａ）は消磁動作、（Ｂ）は補正動作を示したものである。
【図３】従来のディスプレイ装置の消磁コイルと補正コイルの接続構成を示したブロック図である。
【図４】図３の消磁コイルと補正コイルの動作タイミングを表したもので、（Ａ）は消磁コイルの動作、（Ｂ）は補正コイルの動作を示したものである。
【符号の説明】
【００２２】
１１…ＡＣプラグ
１２…電源スイッチ
１３…消磁制御回路
１４…補正磁界制御回路
１５…切替え部
１６…磁界発生コイル
１７…トランス＆電源部
１８…フォトカプラ
１９…マイコン制御回路
２０…ブラウン管
【図１】
2006332742.tif 000003
【図２】
2006332742.tif 000004
【図３】
2006332742.tif 000005
【図４】
2006332742.tif 000006